(57)【要約】【課題】 予張装置を簡素化するとともに、チェーンの周長を簡単にかつ精度良く決定することを可能にする動力伝達チェーンの予張方法および予張装置を提供する。【解決手段】  予張装置31は、無端状チェーン1が巻き掛けられた際にその内周が円筒面となるようなチェーン保持面を有する円盤状のチェーン保持具32と、チェーン保持具32と同心状に配置されたローラ保持具33と、チェーン保持具32を回転させるモータ34と、ローラ保持具33の軸に対して偏心した軸を有しローラ保持具33に回転自在に支持された圧力付与ローラ35とを備えている。圧力付与ローラ35の周縁部をチェーン1内周の所定部分に押し当てた状態でチェーン保持具32を回転させて予張力を付与する。【選択図】    図５
2009255121.tif 000002
【特許請求の範囲】
【請求項１】
複数のリンクおよびこれらを連結する複数のピンからなり、無段変速機の１対のプーリ間に巻き掛けられる動力伝達チェーンに予張力を付与する方法であって、
無端状チェーンが巻き掛けられた際にチェーン内周が円筒面となるようなチェーン保持面を有する円盤状のチェーン保持具と、チェーン保持具と同心状に配置されたローラ保持具と、チェーン保持具およびローラ保持具のいずれか一方を他方に対して回転させる回転手段と、ローラ保持具の軸に対して偏心した軸を有しローラ保持具に回転自在に支持された圧力付与ローラとを使用し、圧力付与ローラの周縁部をチェーン内周の所定部分に押し当てた状態でチェーン保持具とローラ保持具とを相対回転させて予張力を付与することを特徴とする動力伝達チェーンの予張方法。
【請求項２】
複数のリンクおよびこれらを連結する複数のピンからなり、無段変速機の１対のプーリ間に巻き掛けられる動力伝達チェーンに予張力を付与する装置であって、
軸部材および軸部材上に対向するように配置されて無端状チェーンが巻き掛けられた際にチェーン内周が円筒面となるようなチェーン保持面が形成されたチェーン保持具と、チェーン保持具の１対の円盤状部材間にこれと同心状に配置されたローラ保持具と、チェーン保持具およびローラ保持具のいずれか一方を他方に対して回転させる回転手段と、ローラ保持具の軸に対して偏心した軸を有しローラ保持具に回転自在に支持された圧力付与ローラとを備え、チェーン保持具の軸部材の軸心から圧力付与ローラの軸心までの距離と圧力付与ローラの半径との和がチェーン保持具に巻き掛けられた無端状チェーンの内径よりも大きくなされていることを特徴とする動力伝達チェーンの予張装置。
【発明の詳細な説明】
【技術分野】
【０００１】
この発明は、動力伝達チェーンの予張方法および予張装置、さらに詳しくは、自動車等の車両の無段変速機（ＣＶＴ）に好適な動力伝達チェーンを製造する際に用いられる予張方法および予張装置に関する。
【背景技術】
【０００２】
自動車用無段変速機として、図６に示すように、固定シーブ(2a)および可動シーブ(2b)を有しエンジン側に設けられたドライブプーリ(2)と、固定シーブ(3b)および可動シーブ(3a)を有し駆動輪側に設けられたドリブンプーリ(3)と、両者間に架け渡された無端状動力伝達チェーン(1)とからなり、油圧アクチュエータによって可動シーブ(2b)(3a)を固定シーブ(2a)(3b)に対して接近・離隔させることにより、油圧でチェーン(1)をクランプし、このクランプ力によりプーリ(2)(3)とチェーン(1)との間に接触荷重を生じさせ、この接触部の摩擦力によりトルクを伝達するもの（チェーン式無段変速機）が知られている。
【０００３】
動力伝達チェーンとしては、特許文献１に、ピンが挿通される前後挿通部を有する複数のリンクと、一のリンクの前挿通部と他のリンクの後挿通部とが対応するようにチェーン幅方向に並ぶリンク同士を長さ方向に屈曲可能に連結する複数の第１ピンおよび複数の第２ピンとを備え、一のリンクの前挿通部に固定されかつ他のリンクの後挿通部に移動可能に嵌め入れられた第１ピンと一のリンクの前挿通部に移動可能に嵌め入れられかつ他のリンクの後挿通部に固定された第２ピンとが相対的に転がり接触移動することにより、リンク同士の長さ方向の屈曲が可能とされているものが提案されている。
【０００４】
そして、この種の動力伝達チェーンでは、耐久性を向上させるために、その製造工程において、張力をチェーンに予め付与（予張）することにより、リンクに適当な残留圧縮応力を付与することが行われている。
【特許文献１】特開２００５−２３３２７５号公報
【発明の開示】
【発明が解決しようとする課題】
【０００５】
予張装置としては、実際に使用される無段変速機に類似した構成のものが知られているが、ドライブプーリおよびドリブンプーリに相当する２軸を使用しているので、装置が大がかりなものになっており、また、チェーンの周長を精度よく計測するには手間がかかるものとなっている。
【０００６】
この発明の目的は、予張装置を簡素化するとともに、チェーンの周長を簡単にかつ精度良く決定することを可能にする動力伝達チェーンの予張方法および予張装置を提供することにある。
【課題を解決するための手段】
【０００７】
この発明による動力伝達チェーンの予張方法は、複数のリンクおよびこれらを連結する複数のピンからなり、無段変速機の１対のプーリ間に巻き掛けられる動力伝達チェーンに予張力を付与する方法であって、無端状チェーンが巻き掛けられた際にチェーン内周が円筒面となるようなチェーン保持面を有する円盤状のチェーン保持具と、チェーン保持具と同心状に配置されたローラ保持具と、チェーン保持具およびローラ保持具のいずれか一方を他方に対して回転させる回転手段と、ローラ保持具の軸に対して偏心した軸を有しローラ保持具に回転自在に支持された圧力付与ローラとを使用し、圧力付与ローラの周縁部をチェーン内周の所定部分に押し当てた状態でチェーン保持具とローラ保持具とを相対回転させて予張力を付与することを特徴とするものである。
【０００８】
この発明による動力伝達チェーンの予張装置は、複数のリンクおよびこれらを連結する複数のピンからなり、無段変速機の１対のプーリ間に巻き掛けられる動力伝達チェーンに予張力を付与する装置であって、軸部材および軸部材上に対向するように配置されて無端状チェーンが巻き掛けられた際にチェーン内周が円筒面となるようなチェーン保持面が形成されたチェーン保持具と、チェーン保持具の１対の円盤状部材間にこれと同心状に配置されたローラ保持具と、チェーン保持具およびローラ保持具のいずれか一方を他方に対して回転させる回転手段と、ローラ保持具の軸に対して偏心した軸を有しローラ保持具に回転自在に支持された圧力付与ローラとを備え、チェーン保持具の軸部材の軸心から圧力付与ローラの軸心までの距離と圧力付与ローラの半径との和がチェーン保持具に巻き掛けられた無端状チェーンの内径よりも大きくなされていることを特徴とするものである。
【０００９】
無段変速機においては、動力伝達チェーンは、ドライブプーリとドリブンプーリとの間に巻き掛けられるので、実際に使用される無段変速機に類似した構成の従来の予張装置においても、２軸（ドライブプーリの軸およびドリブンプーリの軸）間での保持となるのに対し、この発明の予張方法および予張装置においては、全体として円盤状をなしその外周面に無端状チェーンの全体が巻き掛けられる１軸のチェーン保持具によって、チェーンが保持される。
【００１０】
チェーン保持具とローラ保持具とを相対回転させるには、例えば、ローラ保持具の方が固定されて、チェーン保持具が回転し、これに伴ってチェーンが回転し、圧力付与ローラは、軸の位置を変えずに自転する形態とされてもよく、また、チェーン保持具およびチェーンの方が固定されて、ローラ保持具が回転し、圧力付与ローラは、公転しながら自転する形態とされてもよい。
【００１１】
圧力付与ローラの軸心は、通常、ローラ保持具に対してはその位置を変えないものとされるが、圧力付与ローラの軸心の径方向の位置を調整可能または変更可能としてもよい。
【００１２】
ローラ保持具の外径は、無端状チェーンの内径よりも小さくされ、圧力付与ローラは、その周縁部がローラ保持具の外周面よりも径方向外方に突出させられて、無端状チェーンに予張力を付与する。
【００１３】
この発明の動力伝達チェーンの予張方法および予張装置によると、チェーンの内周面が円筒面となるので、その周長（ピンの接触位置における周長）は、接触径Ｒを使用して、２πＲとして容易に求めることができる。
【００１４】
この発明による予張方法および予張装置で得られる動力伝達チェーンは、円錐面状シーブ面をそれぞれ有する固定シーブおよび可動シーブからなる各プーリのシーブ間距離の変化に伴って巻き掛け径が無段階に変更されて無段階の変速が行われる無段変速機で使用されるのに適している。
【００１５】
予張力は、リンクに発生する最大主応力がリンクの弾性限界応力以上となる大きさとされる。このようにすることで、予張力によって、リンクが塑性変形し、リンク内部に適正な残留圧縮応力が付与され、疲労耐久性能が向上する。
【００１６】
上記の予張方法は、種々の無段変速機用動力伝達チェーンを製造するのに適しているが、ピンが挿通される前後挿通部を有する複数のリンクと、一のリンクの前挿通部と他のリンクの後挿通部とが対応するようにチェーン幅方向に並ぶリンク同士を連結する前後に並ぶ複数の第１ピンおよび複数の第２ピンとを備え、第１ピンと第２ピンとが相対的に転がり接触移動することにより、リンク同士の長さ方向の屈曲が可能とされており、第１ピンおよび第２ピンのうちの一方は、一のリンクの前挿通部に固定されかつ他のリンクの後挿通部に移動可能に嵌め入れられ、同他方は、一のリンクの前挿通部に移動可能に嵌め入れられかつ他のリンクの後挿通部に固定されているものである動力伝達チェーンを製造するのにより適している。
【００１７】
この動力伝達チェーンでは、第１ピンおよび第２ピンの少なくとも一方がプーリと接触して摩擦力により動力伝達する。いずれか一方のピンがプーリと接触するチェーンにおいては、第１ピンおよび第２ピンのうちのいずれか一方は、このチェーンが無段変速機で使用される際にプーリに接触する方のピン（以下では、「第１ピン」または「ピン」と称す）とされ、他方は、プーリに接触しない方のピン（インターピースまたはストリップと称されており、以下では、「第２ピン」または「インターピース」と称す）とされる。
【００１８】
リンクは、例えば、ばね鋼や炭素工具鋼製とされる。リンクの材質は、ばね鋼や炭素工具鋼に限られるものではなく、軸受鋼などの他の鋼でももちろんよい。リンクは、前後挿通部がそれぞれ独立の貫通孔（柱有りリンク）とされていてもよく、前後挿通部が１つの貫通孔（柱無しリンク）とされていてもよい。ピンの材質としては、軸受鋼などの適宜な鋼が使用される。
【００１９】
ピンが前後挿通部に固定される場合の前後挿通部へのピンの固定は、例えば、機械的圧入による挿通部内縁とピン外周面との嵌合固定とされるが、これに代えて、焼き嵌めまたは冷やし嵌めによってもよい。１つの挿通部には、第１ピンと第２ピンとがチェーンの長さ方向に対向するように嵌め合わせられ、このうちのいずれか一方がリンクの挿通部の周面に嵌合固定される。嵌合固定は、挿通部の長さ方向に対して直交する部分の縁（上下の縁）で行われるのが好ましい。この嵌合固定の後、上記のようにして予張力が付与されることにより、リンクのピン固定部（ピン圧入部）に均等にかつ適正な残留圧縮応力が高精度に付与される。
【発明の効果】
【００２０】
この発明の動力伝達チェーンの予張方法および予張装置によると、全体として円盤状をなす１軸のチェーン保持具によってチェーンが保持されるので、２軸のプーリを使用する予張方法および予張装置に比べて、予張装置を簡素化することができ、また、予張時のチェーンの内周が円筒面となるので、その半径からチェーン周長を求めることで、チェーンの周長を簡単にかつ精度良く決定することができる。
【発明を実施するための最良の形態】
【００２１】
以下、図面を参照して、この発明の実施形態について説明する。以下の説明において、上下は、図２の上下をいうものとする。
【００２２】
図１は、この発明による動力伝達チェーンの予張方法および予張装置で製造される動力伝達チェーンの一部を示しており、動力伝達チェーン(1)は、チェーン長さ方向に所定間隔をおいて設けられた前後挿通部(12)(13)を有する複数のリンク(11)と、チェーン幅方向に並ぶリンク(11)同士を長さ方向に屈曲可能に連結する複数のピン（第１ピン）(14)およびインターピース（第２ピン）(15)とを備えている。インターピース(15)は、ピン(14)よりも短くなされ、両者は、インターピース(15)が前側に、ピン(14)が後側に配置された状態で対向させられている。
【００２３】
チェーン(1)は、幅方向同位相の複数のリンクで構成されるリンク列を進行方向（前後方向）に３つ並べて１つのリンクユニットとし、この３列のリンク列からなるリンクユニットを進行方向に複数連結して形成されている。この実施形態では、リンク枚数が９枚のリンク列とリンク枚数が８枚のリンク列２つとが１つのリンクユニットとされている。
【００２４】
図２に示すように、リンク(11)は、前挿通部(12)の前面形状を形成するための前側柱部(20)と、後挿通部(13)の後面形状を形成するための後側柱部(22)と、前挿通部(12)と後挿通部(13)との間の中間柱部(21)とを有している。リンク(11)の前挿通部(12)は、ピン(14)が移動可能に嵌め合わせられるピン可動部(16)およびインターピース(15)が固定されるインターピース固定部(17)からなり、後挿通部(13)は、ピン(14)が固定されるピン固定部(18)およびインターピース(15)が移動可能に嵌め合わせられるインターピース可動部(19)からなる。
【００２５】
各ピン(14)は、インターピース(15)に比べて前後方向の幅が広くなされており、インターピース(15)の上下縁部には、各ピン(14)側にのびる突出縁部(15a)(15b)が設けられている。
【００２６】
図２において、符号ＡおよびＢで示す箇所は、チェーン(1)の直線部分においてピン(14)とインターピース(15)とが接触している線（断面では点）であり、ＡＢ間の距離がピッチである。
【００２７】
チェーン幅方向に並ぶリンク(11)を連結するに際しては、一のリンク(11)の前挿通部(12)と他のリンク(11)の後挿通部(13)とが対応するようにリンク(11)同士が重ねられ、ピン(14)が一のリンク(11)の後挿通部(13)に固定されかつ他のリンク(11)の前挿通部(12)に移動可能に嵌め合わせられ、インターピース(15)が一のリンク(11)の後挿通部(13)に移動可能に嵌め合わせられかつ他のリンク(11)の前挿通部(12)に固定される。そして、このピン(14)とインターピース(15)とが相対的に転がり接触移動することにより、リンク(11)同士の長さ方向（前後方向）の屈曲が可能とされる。
【００２８】
リンク(11)のピン固定部(18)とインターピース可動部(19)との境界部分には、インターピース可動部(19)の上下の凹円弧状案内部(19a)(19b)にそれぞれ連なりピン固定部(18)に固定されているピン(14)を保持する上下の凸円弧状保持部(18a)(18b)が設けられている。同様に、インターピース固定部(17)とピン可動部(16)との境界部分には、ピン可動部(16)の上下の凹円弧状案内部(16a)(16b)にそれぞれ連なりインターピース固定部(17)に固定されているインターピース(15)を保持する上下の凸円弧状保持部(17a)(17b)が設けられている。
【００２９】
ピン(14)を基準としたピン(14)とインターピース(15)との接触位置の軌跡は、円のインボリュートとされており、この実施形態では、ピン(14)の接触面が、断面において半径Ｒｂ、中心Ｍの基礎円を持つインボリュート形状を有し、インターピース(15)の接触面が平坦面（断面形状が直線）とされている。これにより、各リンク(11)がチェーン(1)の直線部分から曲線部分へまたは曲線部分から直線部分へと移行する際、前挿通部(12)においては、ピン(14)が固定状態のインターピース(15)に対してその接触面がインターピース(15)の接触面に転がり接触（若干のすべり接触を含む）しながらピン可動部(16)内を移動し、後挿通部(13)においては、インターピース(15)がインターピース可動部(19)内を固定状態のピン(14)に対してその接触面がピン(14)の接触面に転がり接触（若干のすべり接触を含む）しながら移動する。
【００３０】
上記の動力伝達チェーン(1)では、ピンの上下移動の繰り返しにより、多角形振動が生じ、これが騒音の要因となるが、ピン(14)とインターピース(15)とが相対的に転がり接触移動しかつピン(14)を基準としたピン(14)とインターピース(15)との接触位置の軌跡が円のインボリュートとされていることにより、ピンおよびインターピースの接触面がともに円弧面である場合などと比べて、振動を小さくすることができ、騒音を低減することができる。
【００３１】
この動力伝達チェーン(1)は、図３に示したＶ型プーリ式ＣＶＴで使用されるが、この際、例えば、インターピース（第２ピン）(15)がピン（第１ピン）(14)よりも短くされ、インターピース(15)の端面がプーリ(2)の固定シーブ(2a)および可動シーブ(2b)の各円錐状シーブ面(2c)(2d)に接触しない状態で、ピン(14)の端面がプーリ(2)の円錐状シーブ面(2c)(2d)に接触し、この接触による摩擦力により動力が伝達される。ピン(14)とインターピース(15)とは、上述のように、転がり接触移動するので、プーリ(2)のシーブ面(2c)(2d)に対してピン(14)はほとんど回転しないことになり、摩擦損失が低減し、高い動力伝達率が確保される。
【００３２】
図３において、実線で示した位置にあるドライブプーリ(2)の可動シーブ(2b)を固定シーブ(2a)に対して接近・離隔させると、チェーン(1)の巻き掛け径は、同図に鎖線で示すように、接近時には大きく、離隔時には小さくなる。ドリブンプーリ(3)では、図示省略するが、その可動シーブがドライブプーリ(2)の可動シーブ(2b)とは逆向きに移動し、ドライブプーリ(2)の巻き掛け径が大きくなると、ドリブンプーリ(3)の巻き掛け径が小さくなり、ドライブプーリ(2)の巻き掛け径が小さくなると、ドリブンプーリ(3)の巻き掛け径が大きくなる。この結果、ドライブプーリ(2)の巻き掛け径が最小で、ドリブンプーリ(3)の巻き掛け径が最大であるアンダードライブ状態（最減速状態）から、変速比が１であるドライブプーリ(2)の巻き掛け径とドリブンプーリ(3)の巻き掛け径が等しい状態、さらに、ドライブプーリ(2)の巻き掛け径が最大で、ドリブンプーリ(3)の巻き掛け径が最小のオーバードライブ状態（最増速状態）が得られる。
【００３３】
この動力伝達チェーン(1)は、必要な数のピン(14)およびインターピース(15)を台上に垂直状に保持した後、リンク(11)を１つずつあるいは数枚まとめて圧入していくことにより製造される。この圧入は、ピン(14)およびインターピース(15)の上下縁部とピン固定部(18)およびインターピース固定部(17)の上下縁部との間において行われており、その圧入代は０．００５ｍｍ〜０．１ｍｍとされている。こうして、組み立てられたチェーン(1)には予張力が付与される。
【００３４】
図４および図５に、この発明による動力伝達チェーンの予張装置を示す。以下の説明において、左右は、図４の左右をいうものとする。
【００３５】
予張装置(31)は、円盤状のチェーン保持具(32)と、ローラ保持具(33)と、チェーン保持具(32)を回転させるモータ（回転手段）(34)と、ローラ保持具(33)に回転自在に支持された圧力付与ローラ(35)とを備えている。
【００３６】
チェーン保持具(32)は、回転軸（軸部材）(41)と、回転軸(41)の左端側および右端側に互いに対向するように固定された１対の円盤状部材(42)(43)とからなる。
【００３７】
各円盤状部材(42)(43)は、それぞれプーリ式ＣＶＴと同様の傾き（例えば１１°）の円すい面（チェーン保持面）(42a)(43a)を有しており、巻き掛けられた無端状チェーン(1)のピン(14)を左右両側から挟持する。１対の円盤状部材(42)(43)に巻き掛けられた際の無端状チェーン(1)の内周は、回転軸(41)と同心の円筒面となる。１対の円盤状部材(42)(43)がモータ(34)によって回転軸(41)の軸心回りに回転駆動されることで、無端状チェーン(1)が回転させられる。
【００３８】
ローラ保持具(33)は、１対の円盤状部材(42)(43)のそれぞれ軸方向内側において互いに対向するように配置された１対の固定円板(44)(45)によって圧力付与ローラ(35)の両端部を回転可能に支持するものであり、固定円板(44)(45)は、回転軸(41)が回転した場合でも回転しないように、回転軸(41)にゆるく嵌められている。
【００３９】
圧力付与ローラ(35)の回転軸(35a)の軸心は、チェーン保持具(32)の回転軸(41)の軸心から径方向に所定距離離れた位置に設けられている。圧力付与ローラ(35)は、チェーン保持具(32)の回転軸(41)の軸心から圧力付与ローラ(35)の回転軸(35a)の軸心までの距離と圧力付与ローラ(35)の半径との和がチェーン保持具(32)に巻き掛けられた無端状チェーン(1)の内径よりも大きくなるように、その大きさが設定されており、これにより、圧力付与ローラ(35)の周縁部が無端状チェーン(1)内周の所定部分に押し当てられて、図４にＤで示す変位量の強制変位が無端状チェーン(1)に付与される。チェーン保持具(32)の回転に伴って、無端状チェーン(1)が移動すると、圧力付与ローラ(35)は、無端状チェーン(1)によって回転（自転）させられ、この状態で、無端状チェーン(1)が所定量移動することで、無端状チェーン(1)に均等に予張力が付与される。
【００４０】
張力の大きさは、リンク(11)内部（特にピン固定部(18)およびインターピース固定部(17)における圧入部）に発生する最大主応力値がリンク(11)の弾性限界以上でかつ塑性限界以下となるように設定され、これにより、リンク(11)内部に適正な残留圧縮応力が付与される。
【００４１】
この予張装置(31)によると、従来のようにピン(14)の中心を特定しなくても、接触位置の径Ｒが分かれば、２πＲとすることで、予張付与後のチェーン周長が決定される。したがって、チェーン(1)の周長を簡単にかつ精度良く決定することができる。
【００４２】
なお、上記において、チェーン保持具(32)が回転する構成とされているが、チェーン保持具(32)を固定しておいて、ローラ保持具(33)を回転させるようにしてもよい。
【００４３】
上記予張力の付与は、第１ピンおよび第２ピンの長さが略等しく、両方ともがシーブ面に接触するチェーンにも適用することができ、さらに、第１ピンおよび第２ピンの両方が前後挿通部に対し移動可能に嵌め入れられるチェーンにも適用可能である。
【図面の簡単な説明】
【００４４】
【図１】図１は、この発明による動力伝達チェーンの予張方法および予張装置で製造される動力伝達チェーンの１実施形態の一部を示す平面図である。
【図２】図２は、図１の要部の拡大側面図である。
【図３】図３は、動力伝達チェーンが無段変速機のプーリに取り付けられた状態を示す正面図である。
【図４】図４は、予張装置を模式的に示す縦断面図である。
【図５】図５は、図４のV-V線に沿う断面図である。
【図６】図６は、無段変速機を示す斜視図である。
【符号の説明】
【００４５】
(1)       動力伝達チェーン
(2)(3)    プーリ
(11)      リンク
(14)      ピン（第１ピン）
(15)      インターピース（第２ピン）
(31)      予張装置
(32)      チェーン保持具
(33)      ローラ保持具
(34)      モータ（回転手段）
(35)      圧力付与ローラ
(41)      回転軸（軸部材）
(42)(43)  円盤状部材
【図１】
2009255121.tif 000003
【図２】
2009255121.tif 000004
【図３】
2009255121.tif 000005
【図４】
2009255121.tif 000006
【図５】
2009255121.tif 000007
【図６】
2009255121.tif 000008